(57)【特許請求の範囲】
【請求項１】
映像調整機能を備えた映像表示装置において、種類の異なる複数の映像調整用画像を生成する映像調整用画像生成手段を設け、映像調整モードで表示される映像調整用画面に、調整メニュー項目と共に前記複数の映像調整用画像の一つを表示可能にし、調整時における設定値の変更が映像調整用画面に表示されている前記映像調整用画像に反映するようにし、映像調整モードで前記映像調整用画面に表示される前記映像調整用画像の種類は、調整メニュー項目の選択に応じて決定されることを特徴とする映像表示装置。
【請求項２】
当該映像表示装置は複数画面表示機能をさらに備え、複数画面表示モードが選択された場合は第１の画面に前記映像調整用画面を表示し、第２の画面に視聴映像を表示することを特徴とする請求項１に記載の映像表示装置。
【請求項３】
映像調整時における設定値の変更が、第１の画面に表示されている前記映像調整用画像にのみ反映されることを特徴とする請求項２に記載の映像表示装置。
【請求項４】
映像調整時における設定値の変更が、第２の画面に表示されている前記視聴映像にも反映されることを特徴とする請求項２に記載の映像表示装置。
【請求項５】
前記第１の画面をさらに分割し、該分割した双方の画面に同じ映像調整用画像を表示すると共に、映像調整時における設定値の変更が一方の画面に表示されている映像調整用画像にのみ反映されることを特徴とする請求項２に記載の映像表示装置。
【請求項６】
映像調整機能を備えた映像表示装置において、種類の異なる複数の映像調整用画像を生成する映像調整用画像生成手段を設け、映像調整モードで表示される映像調整用画面に、調整メニュー項目と共に前記複数の映像調整用画像の一つを表示可能にし、調整時における設定値の変更が映像調整用画面に表示されている前記映像調整用画像に反映するようにし、当該映像表示装置は複数画面表示機能をさらに備え、複数画面表示モードが選択された場合は第１の画面に前記映像調整用画面を表示し、第２の画面に視聴映像を表示し、前記第１の画面をさらに分割し、該分割した双方の画面に同じ映像調整用画像を表示すると共に、映像調整時における設定値の変更が一方の画面に表示されている映像調整用画像にのみ反映されることを特徴とする映像表示装置。
【請求項７】
映像調整モードで前記映像調整用画面に表示される前記映像調整用画像の種類をユーザーが決定可能であることを特徴とする請求項６に記載の映像表示装置。
【請求項８】
前記調整用画像の種類は、パターン、静止画および動画のうちの少なくとも２つを含むことを特徴とする請求項１または６に記載の映像表示装置。
【発明の詳細な説明】
【技術分野】
【０００１】
本発明は、入力映像を表示する映像表示装置に関するもので、特に、ユーザーメニューで画質調整などの映像調整を行うことができる映像調整機能を備えた映像表示装置に係るものである。
【背景技術】
【０００２】
従来、テレビジョン受像機などの映像表示装置において、輝度、彩度、色濃度などの画質を調整する映像調整技術として、特許文献１に見られるように視聴映像が表示されている画面に画質調整用の画像をオンスクリーン表示して行うようにしたものや、特許文献２のように視聴映像が表示されている画面を画質調整画面に切り替え、調整前の画像と調整後の画像を比較しながら行えるようにしたものがある。また、特許文献３のように、分割したそれぞれの画面に同じ放送番組を表示させ、一方の画面と比較しながら他方の画面の画質調整を行うようにしたものも提案されている。
【特許文献１】特開平８−２５１４９８号公報
【特許文献２】特開２００２−２１８３５０号公報
【特許文献３】特開２００６−１３６１８号公報
【発明の開示】
【発明が解決しようとする課題】
【０００３】
しかし、上記の先行技術はいずれも調整項目に応じて、それに適した映像調整用画像を利用できるようにはなっていないことから、映像調整の種類によっては調整しづらい映像であってもそれで調整を行うしかなかった。また、視聴映像が表示されている画面に映像調整用画面をオンスクリーン表示した場合、視聴映像が見え難くなり、また、画質調整用の画像も視聴映像に重ねて表示されているので見え難くなるという問題があった。また、画質調整を行う場合に全画面を調整専用の画面に切り換える調整モードしかないものでは、調整中は視聴映像が観られなくなるという問題があった。
【０００４】
本発明は、このような現状に鑑み、どのような種類の調整項目であっても容易かつ適切な調整を行うことでき、また、調整中でも視聴映像が見難くなることのない映像調整機能を備えた映像表示装置を提供することを目的とする。
【課題を解決するための手段】
【０００５】
本発明は、上記課題を解決するために次の技術手段を備えている。
第１の技術手段は、映像調整機能を備えた映像表示装置において、種類の異なる複数の映像調整用画像を生成する映像調整用画像生成手段を設け、映像調整モードで表示される映像調整用画面に、調整メニュー項目と共に前記複数の映像調整用画像の一つを表示可能にし、調整時における設定値の変更が映像調整用画面に表示されている前記映像調整用画像に反映するようにし、映像調整モードで前記映像調整用画面に表示される前記映像調整用画像の種類は、調整メニュー項目の選択に応じて決定されることを特徴としたものである。
【０００６】
第２の技術手段は、第１の技術手段において、当該映像表示装置は複数画面表示機能をさらに備え、複数画面表示モードが選択された場合は第１の画面に前記映像調整用画面を表示し、第２の画面に視聴映像を表示することを特徴としたものである。
第３の技術手段は、第２の技術手段において、映像調整時における設定値の変更が、第１の画面に表示されている前記映像調整用画像にのみ反映されることを特徴としたものである。
第４の技術手段は、第２の技術手段において、映像調整時における設定値の変更が、第２の画面に表示されている前記視聴映像にも反映されることを特徴としたものである。
第５の技術手段は、第２の技術手段において、前記第１の画面をさらに分割し、該分割した双方の画面に同じ映像調整用画像を表示すると共に、映像調整時における設定値の変更が一方の画面に表示されている映像調整用画像にのみ反映されることを特徴としたものである。
【０００７】
第６の技術手段は、映像調整機能を備えた映像表示装置において、種類の異なる複数の映像調整用画像を生成する映像調整用画像生成手段を設け、映像調整モードで表示される映像調整用画面に、調整メニュー項目と共に前記複数の映像調整用画像の一つを表示可能にし、調整時における設定値の変更が映像調整用画面に表示されている前記映像調整用画像に反映するようにし、当該映像表示装置は複数画面表示機能をさらに備え、複数画面表示モードが選択された場合は第１の画面に前記映像調整用画面を表示し、第２の画面に視聴映像を表示し、前記第１の画面をさらに分割し、該分割した双方の画面に同じ映像調整用画像を表示すると共に、映像調整時における設定値の変更が一方の画面に表示されている映像調整用画像にのみ反映されることを特徴としたものである。
【０００８】
第７の技術手段は、第６の技術手段において、映像調整モードで前記映像調整用画面に表示される前記映像調整用画像の種類をユーザーが決定可能であることを特徴としたものである。
第８の技術手段は、第１または６の技術手段において、前記調整用画像の種類は、パターン、静止画および動画のうちの少なくとも２つを含むことを特徴としたものである。
【発明の効果】
【０００９】
本発明によれば、調整項目に応じて、それに適した映像調整用画像を利用できるので、どのような種類の調整項目であっても容易に希望する表示特性の画像に調整することができ、また、映像調整を行っている間もそれまで観ていた視聴映像を他の映像に妨げられることなく継続して観ることもできる。
したがって、これまで分かり難さから映像調整を全く行わなかったユーザーも、自分好みの映像調整を行えるようになり、また、画質に興味のあるユーザーは本発明の機能でより一層映像調整の設定を堪能できる。
【発明を実施するための最良の形態】
【００１０】
以下、本発明の実施の形態を、図面を参照しながら説明する。図１は、本発明が適用されたテレビジョン受像機の構成の一例を示す。テレビジョン受像機１が備えている各種の機能を制御する制御部１０には、ユーザーの操作により発生する操作部又はリモコン受信部１１からの操作信号が入力される。ユーザーの選択操作により選局されたチューナ１２からのテレビジョン放送信号は映像中間周波・検波回路１３によりビデオ信号が検波され、検波されたビデオ信号又は外部入力端子からの入力されるビデオ信号は、ビデオセレクタ１４を介してＹ／Ｃ分離回路１５に入力される。Ｙ／Ｃ分離回路１５に入力されたビデオ信号は、輝度信号と色差信号に分離されてからＡ／Ｄ変換部１６によりデジタルデータに変換され、主画面映像処理回路部１７に入力される。
後述する２画面表示モードが選択されている場合、主画面映像処理回路部１７は右画面に視聴映像を表示できるように画面サイズを縮小する処理などを行ない、映像調整用画像生成部１８は選択された調整用画像の種類に基づいた画像を供給するための処理を行う。
【００１１】
２画面挿入回路部１９は、２画面表示モードが選択された場合、右画面に視聴映像を、左画面に映像調整用画面に前述した映像調整用画像をそれぞれ表示できるようにするための処理を行う。マトリクス回路部２０は、２画面挿入回路部１９からの映像データを表示特性設定回路部２１で設定されている表示特性データを加えてＲＧＢデータに変換する。合成映像生成部２２は、マトリクス回路部２０からのＲＧＢデータと、オンスクリーン表示画像生成部２３からのオンスクリーン画像データとを合成して１画面の画像データを生成する。オンスクリーン表示画像生成部２３は、制御部１０からの指令信号に基づいて視聴映像上にオンスクリーン表示する映像調整用の開始画面や、映像調整用画面にオンスクリーン表示する調整メニュー項目、等のオンスクリーン画像データを合成映像生成部２２に供給する。合成映像生成部２２で合成された映像データはＤ／Ａ変換部２４でアナログ信号に変換され表示部に出力される。
【００１２】
次に、映像調整モードにおける各表示画面の表示例を用いて本発明の動作を説明する。なお、以下の操作はリモコンを用いて行うこととし、リモコンにはメニューキー、決定キー、上下方向キー、左右方向キー、増減キー、戻るキー等が設けられているものとする。映像調整を行うには、先ず、メニューキーを押してメニュー画面を表示させ（不図示）、メニュー項目の中から「映像調整」を選択することにより映像調整モードとなる。映像調整モードが選択されると、オンスクリーン表示画像生成部２３から映像調整用の開始画面画像データが合成映像生成部２２に送られ、図２に示すように視聴映像上に映像調整用の開始画面がオンスクリーン表示される。この表示画面でユーザーが「２画面表示」モードを選択すると、図３に示すように、右画面にはそれまで視聴していた視聴映像が縮小されて表示され、左画面には映像調整で利用する映像調整用画像の種類を選択するための調整用画像選択画面がオンスクリーン表示される。
【００１３】
図３に示した表示例は、デフォルトで調整項目の「パターン」が選択され、調整用画像としてパターン画像が表示される様子を示している。この表示画面から調整用画像として「静止画」を選択する場合は、リモコンの左右方向キーを操作して「静止画」を反転表示させ決定キーを押下すると調整に適した所定の静止画像が表示され、調整用画像として「動画」を選択した場合は、調整に適した所定の動画像が表示される。
【００１４】
映像調整用画面に表示させる映像調整用画像の選択については、他の方法として、例えば、あらかじめ各調整項目に、その調整に適した映像調整用画像を対応付けておき、調整項目の選択に応じてそれに対応する映像調整用画像を表示させるようにすることもできる。
【００１５】
図３の表示画面において、調整用画像として「パターン」を選択する場合は、そのまま決定キーを押すと図４の画面に切り替わり、調整用画像であるパターン画像に重ねられて調整項目メニュー画面がオンスクリーン表示される。
【００１６】
映像調整用のメニュー項目としては、「明るさ：Ｂｒｉｇｈｔｎｅｓｓ」、「コントラスト：Ｃｏｎｔｒａｓｔ」、「彩度：Ｃｏｌｏｒ」、「クイックシュート：Ｑｕｉｃｋ  Ｓｈｏｏｔ」、「シャープネス：Ｓｈａｒｐｎｅｓｓ」などが表示される。図４の表示画面は「Ｃｏｌｏｒ」が選択されている状態を示しており、この状態で増減キーを操作することにより彩度の設定値が変化し、左画面のパターン画像にその変化が反映される。
【００１７】
彩度の調整はパターン画像の方が動画よりもその変化が分かり易いので、調整を容易に行うことができる。他の項目の調整を行う場合は、上下方向キーを操作して目的の項目を反転表示させて決定キーを押下し、増減キーを操作して設定値を変化させ調整を行う。
【００１８】
調整用画像を「静止画」に変更する場合は、例えば、戻るキーを押すことにより、図３の画面に戻り、「静止画」を選択して決定キーを押下する。図５の表示例は「シャープネス」の調整を行なうために調整用画像として「静止画」を選択した画面を示している。一般に「シャープネス」の調整は動画より静止画で行う方がその変化を判別し易い。
【００１９】
図６の表示例は調整用画像に「動画」を選択して、液晶テレビで、動きの速い映像を残像感のないくっきりとしたより見やすくする機能である「クイックシュート」の調整を行う場合の画面を示している。この機能の調整に用いられる調整用画像は動画である必要がある。
【００２０】
なお、上述した映像調整モードにおいて、増減キーを操作して設定値を変化させている途中の設定値が変化する度に表示特性設定回路部内のメモリに一時的に記憶され、所望の表示特性が得られたところで決定キーを押下すると、表示特性設定回路部２１に内蔵している不揮発性メモリに記憶されている設定値が変更後の設定値に書き換えられる。
また、図２の画面で「２画面表示」モードを選択せず、視聴映像上に調整メニュー項目をオンスクリーン表示させて映像調整を行う従来方式の場合は、主画面映像処理回路部１７ではサイズ変更の処理は行われず、視聴映像データは２画面挿入回路部１９をスルーしてマトリクス回路部２０に入力されることになる。
【００２１】
図７および図８は、上述した映像調整モードにおける動作の流れを示すフローチャート図である。前述したように、メニューキーを操作して映像調整モードが選択されると視聴映像上に図２の映像調整開始画面がオンスクリーン表示され（ステップＳ１）、「２画面表示」モードを選択すると（ステップＳ２／Ｙ）、図３の画面が表示される（ステップＳ３）。図３は前述したようにデフォルトで調整用画像としての「パターン画像」が表示されており、他の種類の調整用画像を利用する場合は左右方向キーを操作して選択し（ステップＳ４）、決定キーを押下すると調整項目メニューと共に選択した種類の調整用画像（図４）が表示される(ステップＳ５)。
【００２２】
上下方向キーを操作して目的の調整項目を選択し、増減キーで設定値を変更する。設定値が変更されるとその変更が調整用画像であるパターン画像に反映される（ステップＳ６）。所望の表示特性が得られたところで決定キーを押下することにより(ステップＳ７)、その項目の設定値が書き換えられ、その変更が右画面に表示されている視聴映像に反映される(ステップＳ８)。引き続き他の項目を調整する場合は上下方向キーを操作し（ステップＳ９からステップＳ４に戻る）、調整する項目を選択して同様の操作を行う。
【００２３】
ステップＳ４で「静止画像」を選択した場合はステップＳ１０〜１４、「動画像」を選択した場合はステップＳ１５〜１９となり、その操作および処理はパターン画像の場合と同様であるので説明は省略する。
なお、「パターン」と「静止画」については、調整項目に適したそれぞれ異なる画像を用意しておき、上記ステップＳ６〜９、ステップＳ１１〜１４のところで、調整項目の選択に応じて、その項目に適した画像を表示するようにしてもよい。
【００２４】
選択した調整用画像による所望の項目の調整が終了し、さらに他の種類の調整用画像を利用して調整を行う場合は戻るキーを押すことによりステップＳ２０からステップＳ４に戻り、図３の画面で所望の種類の調整用画像を選択する。
【００２５】
ステップＳ２０で決定キーを押下するとステップＳ２１に進み、“映像調整を終了しますか？”等のメッセージに対し、「ＹＥＳ」を選択すると通常画面に戻り(ステップＳ２２)、映像調整モードが終了する。
【００２６】
また、ステップＳ２１で「ＮＯ」を選択するとステップＳ１に戻り、図２の画面になる。図２の画面で「ＮＯ」を選択するとステップＳ２３に進み、全画面で表示されている視聴映像上に調整メニュー項目がオンスクリーン表示され、ステップＳ２４〜２７で従来方式での映像調整が行える。すなわち、調整項目を選択して視聴映像に調整中の設定値を反映させながら調整を行い(ステップＳ２４)、所望の表示特性が得られたところで決定キーを押下すると（ステップＳ２５）、設定値が書き換えられる（ステップＳ２７）。上下方向キーで他の項目を選択することにより、以下同様にして調整を行う。
【００２７】
１画面モードでの調整が終了した場合は、ステップＳ２７で決定キーを押下するとステップＳ２１に進む。引き続き２画面表示モードでの調整を行う場合は、“映像調整を終了しますか？”のメッセージに対し「ＮＯ」を選択すると図２の画面が表示されるので「ＹＥＳ」を選択して２画面表示モードにする。
【００２８】
なお、上述した実施例は、映像調整モードにおける画面モードとして２画面表示の場合を示したが、例えば、右画面には視聴映像をそのまま鑑賞用として表示しておき、調整用の左画面をさらに上下に２分割して合計３画面とし、左画面の上下両方の画面に同じ調整用画像を表示させ、一方の画面にのみ調整時における設定値の変更が反映されるようにしてもよい。
【図面の簡単な説明】
【００２９】
【図１】本発明の一実施形態を示すブロック構成図である。
【図２】映像調整モードを選択したときの画面表示例を示す図である。
【図３】２画面表示を選択したときの画面表示例を示す図である。
【図４】設定メニュー画面をオンスクリーン表示した画面表示例を示す図である。
【図５】調整用画像として静止画を選択したときの画面表示例を示す図である。
【図６】調整用画像として視聴映像を選択したときの画面表示例を示す図である。
【図７】映像調整モードにおけるフローの前半部を示す図である。
【図８】映像調整モードにおけるフローの後半部を示す図である。
【符号の説明】
【００３０】
１０…制御部、１７…主画面映像処理回路部、１８…映像調整用画像生成部、１９…２画面挿入回路部、２１…表示特性設定回路部、２２…合成映像生成部、２３…オンスクリーン表示画像生成部。
【図１】
0004794359.tif 000002
【図２】
0004794359.tif 000003
【図３】
0004794359.tif 000004
【図４】
0004794359.tif 000005
【図５】
0004794359.tif 000006
【図６】
0004794359.tif 000007
【図７】
0004794359.tif 000008
【図８】
0004794359.tif 000009